(57)【要約】      （修正有）【課題】コストや手間を抑えつつ、開脚運動性に優れたズボンを提供する。【解決手段】左右それぞれの前身頃１１の股内側側縁１１ａと後身頃１２の股内側側縁１２ａとを接合するとともに、前身頃の股外側側縁１１ｂと後身頃の股外側側縁１２ｂとを接合することにより構成されたズボンにおいて、股止まりから裾までの股内側の生地寸法が、股下丈よりも長くなるように、左右それぞれの前身頃及び／又は後身頃の股内側側縁に、一体形成された余生地部１５を備える。【選択図】図４
0003214459.tif 000002
【実用新案登録請求の範囲】
【請求項１】
左右それぞれの前身頃の股内側側縁と後身頃の股内側側縁とを接合するとともに、前身頃の股外側側縁と後身頃の股外側側縁とを接合することにより構成されたズボンにおいて、
股止まりから裾までの股内側の生地寸法が、股下丈よりも長くなるように、左右それぞれの前身頃及び／又は後身頃の股内側側縁に、一体形成された余生地部を備えた、ズボン。
【請求項２】
前記余生地部の総面積は、１２０〜２８０ｃｍ２である、請求項１に記載のズボン。
【考案の詳細な説明】
【技術分野】
【０００１】
本考案は、ズボンに関する。より詳しくは、コストや手間を抑えつつ、開脚運動性に優れたズボンに関する。
【背景技術】
【０００２】
従来、特に、運送業の配達員、工場等の作業員、スポーツを行う人などが着用する際には、開脚運動性に優れたズボンが求められる。この種のズボンは、一般に、左右一対の前身頃と左右一対の後身頃とから主に構成されている。
【０００３】
ここで、特許文献１には、「縫合状態における平面形状が一つの対角線を中心として左右に線対称な四角形状であるまちを、左右の前身頃と後身頃を縫合する股部に介在させて開脚動作を行い易くした機能パンツにおいて、前記まちの平面形状が、縫合状態で前身頃に縫合される辺の長さが、後身頃に縫合される辺の長さより短くなり、かつ、前記まちが、展開状態で前記前身頃に縫合される辺の延長線上に形成される頂点部分および前記対角線を含む頂点部分の近傍を斜めに摘むように縫合されることにより縫合状態で立体的な膨らみを形成することを特徴とする開脚し易い機能パンツ」が開示されており、要するに、前身頃と後身頃に加えて内股部分に襠部を追加し、開脚運動を行いやすくしたズボンが開示されている。
【先行技術文献】
【特許文献】
【０００４】
【特許文献１】特開２００１−１９２９０９号公報
【考案の概要】
【考案が解決しようとする課題】
【０００５】
しかし、内股部分に襠部を追加するとなると、製造工程が煩雑化し、コストや手間がかかるという問題があった。
【０００６】
そこで、本考案では、コストや手間を抑えつつ、開脚運動性に優れたズボンを提供することを主目的とする。
【課題を解決するための手段】
【０００７】
すなわち、本技術では、まず、左右それぞれの前身頃の股内側側縁と後身頃の股内側側縁とを接合するとともに、前身頃の股外側側縁と後身頃の股外側側縁とを接合することにより構成されたズボンにおいて、
股止まりから裾までの股内側の生地寸法が、股下丈よりも長くなるように、左右それぞれの前身頃及び／又は後身頃の股内側側縁に、一体形成された余生地部を備えた、ズボンを提供する。
また、本技術に係るズボンにおいて、前記余生地部の総面積は、１２０〜２８０ｃｍ２とすることができる。
【考案の効果】
【０００８】
本技術によれば、コストや手間を抑えつつ、開脚運動性に優れたズボンを提供できる。なお、ここに記載された効果は、必ずしも限定されるものではなく、本開示中に記載されたいずれかの効果であってもよい。
【図面の簡単な説明】
【０００９】
【図１】本技術に係るズボン１の正面図を模式的に示す模式図である。
【図２】本技術に係るズボン１の後面図を模式的に示す模式図である。
【図３】本技術に係るズボン１の右足部分を左足部分の上に股下位置で折り曲げて重ねた状態を示す構成図である。
【図４】本技術に係るズボン１の前身頃１１と後身頃１２を構成する生地を模式的に示す模式図である。
【図５】本技術に係るズボン１の前身頃１１と後身頃１２を構成する生地と、従来のズボンの前身頃と後身頃を構成する生地と、を重ね合わせた図である。
【図６】従来のズボンの前身頃と後身頃を構成する生地を模式的に示す模式図である。
【考案を実施するための形態】
【００１０】
以下、本技術を実施するための好適な形態について図面を参照しながら説明する。なお、以下に説明する実施形態は、本考案の代表的な実施形態の一例を示したものであり、これにより本考案の範囲が狭く解釈されることはない。
【００１１】
＜１．ズボン＞
本技術に係るズボンは、図１〜３に示すように、左右それぞれの前身頃１１の股内側側縁１１ａと後身頃１２の股内側側縁１２ａとを接合するとともに、前身頃１１の股外側側縁１１ｂと後身頃１２の股外側側縁１２ｂとを接合することにより構成されている。
【００１２】
本技術において、前身頃１１及び後身頃１２に用いる具体的な素材は、本考案の効果を損なわない限り、従来公知の生地等の素材を１種又は２種以上自由に選択して用いることができる。
【００１３】
また、前身頃１１及び後身頃１２の大きさも特に限定されず、自由に設計することができる。
【００１４】
本技術に係るズボンは、股止まり１３から裾１４までの股内側の生地寸法Ｌ１（図３参照）が、股下丈Ｌ２（図１参照）よりも長くなる（＝Ｌ１＞Ｌ２）ように、左右それぞれの前身頃１１及び／又は後身頃１２の股内側側縁１１ａ、１２ａに、一体形成された余生地部１５（図４参照）を備えていることを特徴とする。
【００１５】
図５は、本技術に係るズボン１の前身頃１１と後身頃１２を構成する生地と、従来のズボンの前身頃と後身頃を構成する生地と、を重ね合わせた図であり、図６は、従来のズボンの前身頃と後身頃を構成する生地を模式的に示す模式図である。なお、図５において、従来のズボンの生地は、破線で示している。本技術では、余生地部１５があることにより、Ｌ１＞Ｌ２とすることができ、開脚運動時においてＬ１≦Ｌ２であるズボンよりも生地にゆとりができ、股部に生地の突っ張り感が生じない。
【００１６】
また、本技術では、余生地部１５は、左右それぞれの前身頃１１及び／又は後身頃１２の股内側側縁１１ａ、１２ａに、一体形成されているため、余生地部１５を別工程で接合させる必要がなく、製造工程の煩雑化を防ぎ、コストや手間を抑えることができる。
【００１７】
以上のことから、本技術によれば、コストや手間を抑えつつ、開脚運動性に優れたズボンを提供できる。
【００１８】
なお、本明細書において、「一体形成されている」とは、生地を裁断した際に既にその部分が形成されていることを指し、後から縫着されることは除外する概念である。
【００１９】
本技術では、余生地部１５は、左右それぞれの前身頃１１及び後身頃１２の股内側側縁１１ａ、１２ａに一体形成されていてもよく、左右それぞれの前身頃１１又は後身頃１２の股内側側縁１１ａ、１２ａに一体形成されていてもよいが、図４に示すように、前身頃１１及び後身頃１２の股内側側縁１１ａ、１２ａに一体形成されていることが好ましい。これにより、本技術に係るズボン１を製造しやすくなる。
【００２０】
余生地部１５の形成位置は、特に限定されないが、図４に示すように、前身頃１１及び／又は後身頃１２のわたり１１ｃ、１２ｃに連接されていることが好ましい。これにより、本技術に係るズボン１を製造しやすくなる。
【００２１】
余生地部１５の総面積は、特に限定されないが、１２０〜２８０ｃｍ２とすることが好ましく、約１８０ｃｍ２とすることが特に好ましい。１２０ｃｍ２以上とすることにより、確実に開脚運動性を向上させることができる。また、２８０ｃｍ２以下とすることにより、コストの削減を図ることができる。
【００２２】
また、余生地部１５が前身頃１１及び後身頃１２の股内側側縁１１ａ、１２ａに一体形成されている場合（図４参照）、前身頃１１における余生地部１５の面積は、８０〜１００ｃｍ２とすることが好ましく、約９２ｃｍ２とすることが特に好ましい。また、後身頃１２における余生地部１５の面積は、８０〜１００ｃｍ２とすることが好ましく、約８８ｃｍ２とすることが特に好ましい。
【００２３】
また、本技術に係るズボン１では、必要に応じて、その他の部位（例えば、前ポケット、後ポケット、ウエスト部、ベルト通しなど）を有していてもよい。
【００２４】
本技術に係るズボン１は開脚運動性に優れるため、特に、運送業の配達員、工場等の作業員、スポーツを行う人などが着用する際の、作業用又はスポーツ用ズボンとして好適に用いられるが、本技術に係るズボン１の用途は、これに限定されず、フォーマル、カジュアル等の様々なシーンで着用することができる。
【００２５】
＜２．ズボンの製造方法＞
本技術に係るズボン１の製造方法は、特に限定されないが、例えば、以下の方法により製造することが可能である。
【００２６】
図４に示すような形状の生地を作製するための型紙を作る。そして、該型紙の通りに生地を裁断し、左右それぞれ、図４に示す形状の前身頃１１と後身頃１２の生地を得る。
【００２７】
その後、左右それぞれの前身頃１１の股内側側縁１１ａと後身頃１２の股内側側縁１２ａとを縫い合わせて接合するとともに、前身頃１１の股外側側縁１１ｂと後身頃１２の股外側側縁１２ｂとを縫い合わせて接合する。これにより、本技術に係るズボン１を作製する。
【符号の説明】
【００２８】
１  ズボン
１１  前身頃
１１ａ  股内側側縁
１１ｂ  股外側側縁
１１ｃ  わたり
１２  後身頃
１２ａ  股内側側縁
１２ｂ  股外側側縁
１２ｃ  わたり
１３  股止まり
１４  裾
１５  余生地部
【図１】
0003214459.tif 000003
【図２】
0003214459.tif 000004
【図３】
0003214459.tif 000005
【図４】
0003214459.tif 000006
【図５】
0003214459.tif 000007
【図６】
0003214459.tif 000008